(57)【要約】【課題】  保管する際に省スペース化を図ることが可能な靴収納用具を提供する。【解決手段】  設置面上に配置される脚体と、該脚体に支持される基端部と該基端部の反対側の先端部とを有し、基端部が脚体に支持された状態で設置面に対して間隔を開けた配置にされる上部パネルであって、一足の靴のうちの一方の靴を載置可能な上部パネルとを備え、上部パネルは、脚体に対して着脱可能に構成されている。【選択図】  図１
2015202203.tif 000002
【特許請求の範囲】
【請求項１】
設置面上に配置される脚体と、該脚体に支持される基端部と該基端部の反対側の先端部とを有し、基端部が脚体に支持された状態で設置面に対して間隔を開けた配置にされる上部パネルであって、一足の靴のうちの一方の靴を載置可能な上部パネルとを備え、上部パネルは、脚体に対して着脱可能に構成されていることを特徴とする靴収納用具。
【請求項２】
脚体は、それぞれが上部パネルの基端部を支持可能な複数の上部パネル支持部を備え、該複数の上部パネル支持部は、上下方向に並設されることを特徴とする請求項１に記載の靴収納用具。
【請求項３】
複数の上部パネル支持部のそれぞれは、上部パネルが基端部から先端部に向けて上り傾斜となるように該上部パネルの基端部を支持可能に構成され、下方側にある上部パネル支持部よりも上方側にある上部パネル支持部に上部パネルの基端部を支持させることで、上部パネルの傾斜角度が大きくなるように構成されることを特徴とする請求項２に記載の靴収納用具。
【請求項４】
前記脚体に支持される基端部と該基端部の反対側の先端部とを有し、基端部が脚体に支持された状態で設置面に沿って配置される下部パネルをさらに備え、下部パネルは、脚体に対して着脱可能に構成されることを特徴とする請求項２又は３に記載の靴収納用具。
【請求項５】
脚体は、下部パネルの基端部を支持可能な下部パネル支持部を備えることを特徴とする請求項４に記載の靴収納用具。
【請求項６】
上部パネルは、基端部に凸片状の上部被支持部を有し、脚体は、上部パネル支持部と対応した位置に、上部被支持部を差し込み可能で、且つ上部被支持部を抜け止め可能な上部取付部を有することを特徴とする請求項２乃至５のいずれか一項に記載の靴収納用具。
【請求項７】
下部パネルは、基端部に凸片状の下部被支持部を有し、脚体は、下部パネル支持部と対応した位置に、下部被支持部を差し込み可能で、且つ下部被支持部を抜け止め可能な下部取付部を有することを特徴とする請求項４又は５に記載の靴収納用具。
【発明の詳細な説明】
【技術分野】
【０００１】
本発明は、靴を収納するための靴収納用具に関する。
【背景技術】
【０００２】
従来、靴を収納するスペースの有効活用を図るための靴収納用具が提供されている（例えば、特許文献１参照）。
【０００３】
この種の靴収納用具は、一足の靴のうちの一方の靴が載置される下部パネルと、該下部パネルの上方に配置され、一足の靴のうちの他方の靴が載置される上部パネルと、下部パネル及び上部パネルを連結する脚体とを備える。
【０００４】
この種の靴収納用具によれば、下部パネル上に載置された一方の靴と、上部パネルに載置された他方の靴とが、上下に配置される。これにより、この種の靴収納用具は、一足の靴が横に並べて収納されるのに比べて、上下方向のスペースを有効に活用することができる。
【先行技術文献】
【特許文献】
【０００５】
【特許文献１】実用新案登録第３０９９２６１号公報
【発明の概要】
【発明が解決しようとする課題】
【０００６】
ところで、この種の靴収納用具は、上部パネルが設置面よりも上方に延在するため、不使用時において、不必要にスペースを占有する。
【０００７】
そこで、本発明は、かかる事情に鑑み、保管する際に省スペース化を図ることが可能な靴収納用具を提供することを課題とする。
【課題を解決するための手段】
【０００８】
本発明に係る靴収納用具は、設置面上に配置される脚体と、該脚体に支持される基端部と該基端部の反対側の先端部とを有し、基端部が脚体に支持された状態で設置面に対して間隔を開けた配置にされる上部パネルであって、一足の靴のうちの一方の靴を載置可能な上部パネルとを備え、上部パネルは、脚体に対して着脱可能に構成されていることを特徴とする。
【０００９】
かかる構成によれば、靴を収納する際には、一足の靴のうちの何れか一方の靴を上部パネル上に載置し、一足の靴のうちの何れか他方の靴を上部パネルの下方に配置すれば一足の靴の左右それぞれを上下に配置して収納できる。従って、上記構成の靴収納用具は、一足の靴を収納するに当り、該一足の靴を横に並べて収納する場合に比べ、上下方向のスペースを有効的に活用できる。
【００１０】
また、上記靴収納用具は、上部パネルが脚体に対して着脱可能に構成されているため、不使用時において、上部パネルと脚体とを分離することができる。従って、上記靴収納用具は、不使用時において、上部パネルが脚体から延出した状態にならないため、不必要にスペースを占有することがない。これにより、上記靴収納用具は、不使用時（保管時）に必要な占有スペースを小さくすることができる。
【００１１】
また、本発明に係る靴収納用具の一態様として、脚体は、それぞれが上部パネルの基端部を支持可能な複数の上部パネル支持部を備え、該複数の上部パネル支持部は、上下方向に並設されていてもよい。
【００１２】
かかる構成によれば、上部パネルの基端部が複数の上部パネル支持部のいずれかに支持されることで、靴の高さに応じた位置に上部パネルを配置することができる。これにより、該靴収納用具は、特定の高さの靴のみを対象とせず、高さの異なる靴も収納可能となる。
【００１３】
また、本発明に係る靴収納用具の他態様として、複数の上部パネル支持部のそれぞれは、上部パネルが基端部から先端部に向けて上り傾斜となるように該上部パネルの基端部を支持可能に構成され、下方側にある上部パネル支持部よりも上方側にある上部パネル支持部に上部パネルの基端部を支持させることで、上部パネルの傾斜角度が大きくなるように構成される、ことが好ましい。
【００１４】
かかる構成によれば、上方側に位置する上部パネル支持部が上部パネルを支持することで、上部パネルは、下方側に位置する上部パネル支持部に支持される場合に比べて、傾斜角度（設置面に対する角度）が大きな状態で傾斜する。これにより、上部パネルの先端部側が基端部よりも上方に位置することになるため、上部パネルの先端部の下方側のスペースを広くできる。したがって、ハイヒールやハイカットの靴であっても上部パネルだけでなく、該上部パネルの下方に配置することができる。
【００１５】
また、本発明に係る靴収納用具の他態様として、前記脚体に支持される基端部と該基端部の反対側の先端部とを有し、基端部が脚体に支持された状態で設置面に沿って配置される下部パネルをさらに備え、下部パネルは、脚体に対して着脱可能に構成されてもよい。
【００１６】
かかる構成によれば、上部パネル上に一足の靴のうちのいずれか一方の靴を載置し、下部パネル上に一足の靴のうちのいずれか他方の靴を載置した上で、靴収納用具を収納することで一足の靴を収納することができるので、より容易に靴を収納することができる。また、下部パネルに靴を配置すれば、靴底に汚れが付着していたとしても、設置面（例えば、靴箱内にある設置面）に靴底の汚れが付着することも防止できる。
【００１７】
また、本発明にかかる靴収納用具の他態様として、脚体は、下部パネルの基端部を支持可能な下部パネル支持部を備えてもよい。
【００１８】
かかる構成によれば、下部パネル支持部が下部パネルを支持することで、下部パネルは、設置面に沿う位置に適切に取り付けられる。
【００１９】
また、本発明に係る靴収納用具の他態様として、上部パネルは、基端部に凸片状の上部被支持部を有し、脚体は、上部パネル支持部と対応した位置に、上部被支持部を差し込み可能で、且つ上部被支持部を抜け止め可能な上部取付部を有してもよい。
【００２０】
かかる構成によれば、上部被支持部が上部取付部に差し込まれることで、上部パネルは、自重により上部取付部の内面に係止される。これにより、上部パネルが上部取付部により抜け止めされるので、上部パネルが不用意に脚体から脱落することを防止できる。
【００２１】
また、本発明に係る靴収納用具の他態様として、下部パネルは、基端部に凸片状の下部被支持部を有し、脚体は、下部パネル支持部と対応した位置に、下部被支持部を差し込み可能で、且つ下部被支持部を抜け止め可能な下部取付部を有してもよい。
【００２２】
かかる構成によれば、下部被支持部が下部取付部に差し込まれることで、下部パネルは、自重により下部取付部の内面に係止される。これにより、下部パネルが下部取付部により抜け止めされるので、脚体から不意に下部パネルが脱落することを防止できる。
【発明の効果】
【００２３】
以上の如く、本発明に係る靴収納用具によれば、保管する際にも省スペース化を図ることが可能というすぐれた効果を奏する。
【図面の簡単な説明】
【００２４】
【図１】本発明の一実施形態に係る靴収納用具の概略斜視図であって、上部パネル及び下部パネルを脚体に取り付けた状態の靴収納用具を示す。
【図２】同実施形態に係る上部パネルの概略斜視図を示す。
【図３】同実施形態に係る下部パネルの概略斜視図を示す。
【図４】同実施形態に係る靴収納用具の概略斜視図であって、下部パネルを脚体に取り付けた状態の靴収納用具を示す。
【図５】同実施形態に係る靴収納用具の概略斜視図であって、上部パネルを脚体に取り付けた状態の靴収納用具を示す。
【発明を実施するための形態】
【００２５】
以下、本発明に係る靴収納用具における一実施形態について、図１〜図５を参照して説明する。
【００２６】
図１及び図２に示すように、本実施形態に係る靴収納用具１は、設置面上に配置される脚体２０と、該脚体２０に支持される基端部と該基端部の反対側の先端部とを有し、基端部が脚体２０に支持された状態で設置面に対して間隔を開けた配置にされる上部パネル１０であって、一足の靴のうちの一方の靴を載置可能な上部パネル１０とを備える。また、本実施形態に係る靴収納用具１は、前記脚体２０に支持される基端部と該基端部の反対側の先端部とを有し、基端部が脚体２０に支持された状態で設置面に沿って配置される下部パネル３０をさらに備える。ここで、上部パネル１０は、脚体２０に対して着脱可能に構成されている。また、下部パネル３０は、脚体２０に対して着脱可能に構成される。
【００２７】
図１及び図４に示すように、脚体２０は、立設される脚体本体２６と、上部被支持部１１を差し込み可能であり上部被支持部１１を抜け止めする上部取付部２４とを備える。また、脚体２０は、それぞれが上部パネル１０の基端部を支持可能な複数の上部パネル支持部２１を備える。そして、脚体２０は、下部パネル３０の基端部を支持可能な下部パネル支持部２２を備える。さらに、脚体２０は、上部パネル支持部２１と対応した位置に、上部パネル１０を差し込み可能で、且つ上部パネル１０を抜け止め可能な上部取付部２４を有する。そしてさらに、脚体２０は、下部パネル支持部２２と対応した位置に、下部パネル３０を差し込み可能で、且つ下部パネル３０を抜け止め可能な下部取付部２５を有する。
【００２８】
脚体本体２６は、図１及び図４に示すように、設置面上に設置される設置部（図示しない）と、該設置部の外周に沿って起立する起立部２３とを有する。
【００２９】
設置部は、一足の靴のうちのいずれか一方の靴を上部パネル１０に載置した状態で設置する部分として設けられる。それ故に、設置部は、下面を平面に形成される。本実施形態において、設置部は、平板状に形成され、一方の辺を円弧状に形成される。
【００３０】
起立部２３は、円弧状に形成された設置部の一辺と、該一辺に連続する両辺の外周に沿って起立して形成される。より具体的には、起立部２３は、円弧状に形成された設置部の一辺から起立する第１起立部２３１と、該第１起立部２３１の幅方向両端のそれぞれに連続する第２起立部２３２，２３２を有する。
【００３１】
第１起立部２３１は、円弧状に形成された設置部の一辺と同様の形状で湾曲した板体として形成される。第１起立部２３１は、設置部の上面に連続する面で上部取付部２４及び下部取付部２５に接続される。したがって、第１起立部２３１は、上部取付部２４の設置高さよりも大きい高さで設置部から立設される。
【００３２】
第２起立部２３２，２３２のそれぞれは、板体で形成され、相手側に対向する面で上部パネル支持部２１及び下部パネル支持部２２に接続される。
【００３３】
複数の上部パネル支持部２１は、図１、図４、及び図５に示すように、上下方向に並設される。これにより、複数の上部パネル支持部２１のそれぞれは、上部パネル１０の高さを異ならせて上部パネル１０を支持可能になっている。このような複数の上部パネル支持部２１のそれぞれは、脚体２０によって上部パネル１０を片持ち梁状で支持可能なように、垂直方向に交差する方向に延びる上部溝２１０を有する。該上部溝２１０は、第２起立部２３２，２３２のそれぞれに接続して設けられるとともに、深さ方向の一端を開放して構成されることで、開放された一端から挿入された上部パネル１０の幅方向両端部を支持可能になっている。そして、上方に配置される上部パネル支持部２１は、下方に配置される上部パネル支持部２１に比べ、水平方向に対する深さ方向の傾斜の大きい上部溝２１０を有している。これにより、複数の上部パネル支持部２１のそれぞれは、上部パネル１０が基端部から先端部に向けて上り傾斜となるように該上部パネル１０の基端部を支持可能に構成され、下方側にある上部パネル支持部２１よりも上方側にある上部パネル支持部２１に上部パネル１０の基端部を支持させることで、上部パネル１０の傾斜角度が大きくなるように構成される。
【００３４】
上部取付部２４は、複数の上部パネル支持部２１の上部溝２１０の傾斜に合わせて脚体２０の幅方向中央部に設けられる。上部取付部２４は、複数の上部パネル支持部２１のそれぞれと一対一で対応するように複数設けられている。
【００３５】
図４に示すように、下部パネル支持部２２は、設置部の上面に沿って伸びる下部溝２２０を有し、該下部溝２２０で下部パネル３０を支持することで、設置面に沿う方向に下部パネル３０を支持することができる。また、下部パネル３０を挿入可能なように、下部溝２２０の底の位置に合わせて設置部の上面に連続する第１起立部２３１の面に接続するように下部取付部２５が構成されている。
【００３６】
図２に示すように、上部パネル１０は、基端部に凸片状の上部被支持部１１を有する。また、上部パネル１０は、一足の靴のうちの何れか一方の靴を載置可能な上部載置部１２を有する。上部パネル１０は、脚体２０に着脱可能である。
【００３７】
上部被支持部１１は、上部載置部１２から延出し、上部取付部２４に差し込まれる上部差込部１１１と、該上部差込部１１１の両側のそれぞれに上部載置部１２から延出する上部延出部１１０とを有する。
【００３８】
上部差込部１１１は、上部延出部１１０と同様の厚さで平板状に形成され、上部延出部１１０の幅方向中央部から上部延出部１１０の延出方向と同方向に延出する。また、上部差込部１１１は、上部延出部１１０の幅方向両端部の延出方向長さよりも長く延出されており、脚体２０に差し込み可能に構成されている。そして、上部差込部１１１は、上面から突出する上部突出部１１３を有し、該上部突出部１１３が脚体２０に係止されることで、上部パネル１０が脚体２０から脱落することを防止している。
【００３９】
上部延出部１１０は、平板状に形成され、上部載置部１２の幅よりも狭い幅で上部載置部１２から延出する。また、上部延出部１１０は、脚体２０によって上部載置部１２を支持可能な長さで上部載置部１２から延出する。本実施形態において、上部延出部１１０は、上部載置部１２と同じ厚さで形成される。
【００４０】
上部載置部１２は、平板状に形成され、一足の靴の何れか一方を上面に載置可能な大きさで形成される。本実施形態において、上部載置部１２は、板状且つ平面視方形状（長方形状）に形成され、一足の靴のうちの何れか一方を上面に載置可能な大きさで形成される。また、本実施形態において、上部載置部１２は、所定の位置に上面から厚さ方向に突出する上部凸部１２１を有し、該上部凸部１２１は、靴のかかとの外縁を係止すべく、平面視円弧状に形成される。これにより、上部凸部１２１は、載置された一足の靴の何れか一方が載置位置から動かないように、載置された靴の移動を規制することができる。
【００４１】
図３に示すように、下部パネル３０は、基端部に凸片状の下部被支持部３１を有する。また、下部パネル３０は、一足の靴のうちの何れか他方を載置可能な下部載置部３２を有する。
【００４２】
下部被支持部３１は、下部載置部３２から延出し、下部取付部２５に差し込まれる下部差込部３１１と、該下部差込部３１１の両側のそれぞれに下部載置部３２から延出する下部延出部３１０とを有する。
【００４３】
下部延出部３１０は、平板状に形成され、下部載置部３２の幅よりも狭い幅で下部載置部３２から延出する。また、下部延出部３１０は、脚体２０によって下部載置部３２を支持可能な長さで下部載置部３２から延出する。本実施形態において、下部延出部３１０は、下部載置部３２と同じ厚さで形成される。
【００４４】
下部差込部３１１は、下部延出部３１０と同様の厚さで平板状に形成され、下部延出部３１０の幅方向中央部から下部延出部３１０の延出方向と同方向に延出する。また、下部差込部３１１は、下部延出部３１０の幅方向両端部の延出方向長さよりも長く延出されており、脚体２０に差し込み可能に構成されている。そして、下部差込部３１１は、上面から突出する下部突出部３１３を有し、該下部突出部３１３が脚体２０に係止されることで、下部パネル３０が脚体２０から脱落することを防止している。
【００４５】
下部載置部３２は、平板状に形成され、一足の靴の片側他方を上面に載置可能な大きさで形成される。本実施形態において、下部載置部３２は、板状且つ平面視方形状（長方形状）に形成され、一足の靴ののうちの何れか他方を上面に載置可能な大きさで形成される。また、本実施形態において、下部載置部３２は、所定の位置に上面から厚さ方向に突出する下部凸部３２１を有し、該下部凸部３２１は、靴の先端の外縁を係止すべく、平面視円弧状に形成される。これにより、下部凸部３２１は、載置された一足の靴の片側他方が載置位置から動かないように、載置された靴の移動を規制することができる。一足の靴のうちの一方の靴のかかとが上部凸部１２１で係止され、一方の靴のうちの他方の靴の先端が下部凸部３２１で係止されるので、靴のうちでもっとも高さのあるかかと部分が入れ違いに配置され、収納スペースの有効活用をすることができる。
【００４６】
本実施形態に係る靴収納用具１の構成については以上の通りであり、次に、本実施形態に係る靴収納用具１の作用について説明する。
【００４７】
まず、靴を収納する際に、脚体２０に対して上部パネル１０及び下部パネル３０が取り付けられる。具体的には、下部パネル３０の下部延出部３１０の幅方向両端部が下部溝２２０に挿入され、下部取付部２５に下部差込部３１１が挿入される。そして、下部突出部３１３が下部パネル３０の自重により下部取付部２５に係止されることで、下部パネル３０は、脚体２０に支持される。
【００４８】
その後、上部パネル１０が脚体２０に取り付けられる。具体的には、収納する靴の高さに応じて複数の上部パネル支持部２１から、上部パネル１０を支持する上部パネル支持部２１が選択される。そして、選択された上部パネル支持部２１の上部溝２１０に上部延出部１１０の幅方向両端部が挿入され、上部取付部２４に上部差込部１１１が挿入される。そして、上部突出部１１３が上部パネル１０の自重により上部取付部２４に係止されることで、上部パネル１０は、脚体２０に支持される。
【００４９】
このように脚体２０に上部パネル１０及び下部パネル３０が取り付けられた靴収納用具１に対して、一足の靴の何れか一方の靴が下部パネル３０上に載置され、一足の靴の何れか他方の靴が上部パネル１０上に載置される。そして、上部パネル１０の上部凸部１２１に一足の靴の何れか一方の靴がかかとを合わせて係止さるとともに、下部パネル３０の下部凸部３２１に一足の靴の何れか他方の靴が先端を合わせて係止されることで、一足の靴の左右それぞれは、上部パネル１０上又は下部パネル３０上で移動を規制される。これにより、一足の靴の左右それぞれは、上下に配置される。そして、このように靴の載置された靴収納用具１を収納することで、左右に並べて靴を収納する場合に比べて、スペースの有効活用を図ることができる。
【００５０】
一方、靴を取り出す際には、一足の靴のそれぞれが下部パネル３０及び上部パネル１０に載置されている状態から取り出される。その後、靴収納用具１を保管すべく、上部パネル１０及び下部パネル３０は、脚体２０から取り外される。具体的には、上部パネル１０は、上部突出部１１３及び上部取付部２４の係止が解除され、上部差込部１１１が上部取付部２４から抜かれ、上部溝２１０から上部延出部１１０の幅方向両端部が抜かれることで脚体２０から取り外される。下部パネル３０は、下部突出部３１３及び下部取付部２５の係止が解除され、下部差込部３１１が下部取付部２５から抜かれた後、下部溝２５から下部延出部３１０の幅方向両端部が抜かれることで脚体２０から取り外される。このように、脚体２０、上部パネル１０、及び下部パネル３０がそれぞれ分離されることで、靴収納用具１を保管する際の省スペース化を図ることができる。
【００５１】
以上のように、本実施形態に係る靴収納用具１は、設置面上に配置される脚体２０と、該脚体２０に支持される基端部と該基端部の反対側の先端部とを有し、基端部が脚体２０に支持された状態で設置面に対して間隔を開けた配置にされる上部パネル１０であって、一足の靴のうちの一方の靴を載置可能な上部パネル１０とを備え、上部パネル１０は、脚体２０に対して着脱可能に構成されていることを特徴とする。
【００５２】
かかる構成によれば、靴を収納する際には、一足の靴のうちの何れか一方の靴を上部パネル１０上に載置し、一足の靴のうちの何れか他方の靴を上部パネル１０の下方に配置すれば一足の靴の左右それぞれを上下に配置して収納できる。従って、上記構成の靴収納用具１は、一足の靴を収納するに当り、該一足の靴を横に並べて収納する場合に比べ、上下方向のスペースを有効的に活用できる。
【００５３】
また、上記靴収納用具１は、上部パネル１０が脚体２０に対して着脱可能に構成されているため、不使用時において、上部パネル１０と脚体２０とを分離することができる。従って、上記靴収納用具１は、不使用時において、上部パネル１０が脚体２０から延出した状態にならないため、不必要にスペースを占有することがない。これにより、上記靴収納用具１は、不使用時（保管時）に必要な占有スペースを小さくすることができる。
【００５４】
また、本実施形態に係る靴収納用具１の一態様として、脚体２０は、それぞれが上部パネル１０の基端部を支持可能な複数の上部パネル支持部２１を備え、該複数の上部パネル支持部２１は、上下方向に並設されていてもよい。
【００５５】
かかる構成によれば、上部パネル１０の基端部が複数の上部パネル支持部２１のいずれかに支持されることで、靴の高さに応じた位置に上部パネル１０を配置することができる。これにより、該靴収納用具１は、特定の高さの靴のみを対象とせず、高さの異なる靴も収納可能となる。
【００５６】
また、本実施形態に係る靴収納用具１の他態様として、複数の上部パネル支持部２１のそれぞれは、上部パネル１０が基端部から先端部に向けて上り傾斜となるように該上部パネル１０の基端部を支持可能に構成され、下方側にある上部パネル支持部２１よりも上方側にある上部パネル支持部２１に上部パネル１０の基端部を支持させることで、上部パネル１０の傾斜角度が大きくなるように構成される、ことが好ましい。
【００５７】
かかる構成によれば、上方側に位置する上部パネル支持部２１が上部パネル１０を支持することで、上部パネル１０は、下方側に位置する上部パネル支持部２１に支持される場合に比べて、傾斜角度（設置面に対する角度）が大きな状態で傾斜する。これにより、上部パネル１０の先端部側が基端部よりも上方に位置することになるため、上部パネル１０の先端部の下方側のスペースを広くできる。したがって、ハイヒールやハイカットの靴であっても上部パネル１０だけでなく、該上部パネル１０の下方に配置することができる。
【００５８】
また、本実施形態に係る靴収納用具１の他態様として、前記脚体２０に支持される基端部と該基端部の反対側の先端部とを有し、基端部が脚体２０に支持された状態で設置面に沿って配置される下部パネル３０をさらに備え、下部パネル３０は、脚体２０に対して着脱可能に構成されてもよい。
【００５９】
かかる構成によれば、上部パネル１０上に一足の靴のうちの一方（他方）の靴を載置し、下部パネル３０上に一足の靴のうちの他方（一方）の靴を載置した上で、靴収納用具１を収納することで一足の靴を収納することができるので、より容易に靴を収納することができる。また、下部パネル３０に靴を配置すれば、靴底に汚れが付着していたとしても、設置面（例えば、靴箱内にある設置面）に靴底の汚れが付着することも防止できる。
【００６０】
また、本実施形態にかかる靴収納用具１の他態様として、脚体２０は、下部パネル３０の基端部を支持可能な下部パネル支持部２２を備えられてもよい。
【００６１】
かかる構成によれば、下部パネル支持部２２が下部パネル３０を支持することで、下部パネル３０は、設置面に沿う位置に適切に取り付けられる。
【００６２】
また、本実施形態に係る靴収納用具１の他態様として、上部パネル１０は、基端部に凸片状の上部被支持部１１を有し、脚体２０は、上部パネル支持部２１と対応した位置に、上部被支持部１１を差し込み可能で、且つ上部被支持部１１を抜け止め可能な上部取付部２４を有してもよい。
【００６３】
かかる構成によれば、上部被支持部１１が上部取付部２４に差し込まれることで、上部パネル１０は、自重により上部取付部２４の内面に係止される。これにより、上部パネル１０が上部取付部２４により抜け止めされるので、上部パネル１０が不用意に脚体２０から脱落することを防止できる。
【００６４】
また、本実施形態に係る靴収納用具１の他態様として、下部パネル３０は、基端部に凸片状の下部パネル支持部を有し、脚体２０は、下部パネル支持部と対応した位置に、下部被支持部３１を差し込み可能で、且つ下部被支持部３１を抜け止め可能な下部取付部２５を有してもよい。
【００６５】
かかる構成によれば、下部被支持部３１が下部取付部２５に差し込まれることで、下部パネル３０は、自重により下部取付部２５の内面に係止される。これにより、下部パネル３０が下部取付部２５により抜け止めされるので、脚体２０から不意に下部パネル３０が脱落することを防止できる。
【００６６】
なお、本発明に係る靴収納用具は、上記した実施の形態に限定されるものではなく、本発明の要旨を逸脱しない範囲内において種々変更を加え得ることは勿論である。また、下記する各種の変更例に係る構成や方法等を任意に選択して、上記した実施形態に係る構成や方法等に採用してもよいことは勿論である。
【００６７】
例えば、上記実施形態に係る靴収納用具１は、下部パネル３０を備えるとしたが、下部パネル３０を備えない構成とすることも可能である。この際には、一足の靴の片側一方は、上部パネル１０の下方に配置されることで、靴箱に収納することができる。この際に、載置部は、一足の靴のうちの片側一方を載置した状態の上部パネル１０を支持した脚体２０を立設可能な設置面積で構成される。
【００６８】
また、上記実施形態に係る靴収納用具１において、下部パネル３０は、脚体２０に対して着脱自在としたが、これに限定されず、下部パネル３０は、脚体２０に対して取り付けられたまま外れない構成としてもよいことはもちろんである。
【００６９】
また、上記実施形態に係る靴収納用具１は、靴のかかとの形状に合わせて形成される上部凸部１２１又は下部凸部３２１を有するとしたが、上部凸部１２１又は下部凸部３２１を省略することも可能である。また、上部凸部１２１又は下部凸部３２１は、上部載置部１２又は下部載置部３２の上面に複数設けられる突条（図示しない）とすることも可能である。具体的には、上部凸部１２１又は下部凸部３２１は、上部載置部１２及び下部載置部３２の上面全体に渡って設けられる突条（図示しない）に置換されてもよい。これにより、上部凸部１２１又は下部凸部３２１は、上部載置部１２及び下部載置部３２に載置された靴の滑り止めとして機能する。
【符号の説明】
【００７０】
１      靴収納用具
１０    上部パネル
１１    上部被支持部
１２    上部載置部
２０    脚体
２１    上部パネル支持部
２２    下部パネル支持部
２３    起立部
２４    上部取付部
２５    下部取付部
３０    下部パネル
３１    下部被支持部
３２    下部載置部
１１０  上部延出部
１１１  上部差込部
１１３  上部突出部
１２１  上部凸部
２１０  上部溝
２２１  第１起立部
２２２  第２起立部
３１０  下部延出部
３１１  下部差込部
３１３  下部突出部
３２１  下部凸部
【図１】
2015202203.tif 000003
【図２】
2015202203.tif 000004
【図３】
2015202203.tif 000005
【図４】
2015202203.tif 000006
【図５】
2015202203.tif 000007